(57)【要約】【課題】本発明は、記録シートの先端とガイドとの当接により発生する騒音を抑えることができる記録シート搬送装置を提供することを目的とする。【解決手段】記録シート搬送装置は、記録シートを搬送する搬送体と、搬送体から排出される記録シートの先端と当接して、記録シートの進行方向を変更させる第１ガイド（第１ガイド部１１１）と、を備えている。そして、第１ガイドの記録シートとの当接面１１３は、記録シートの先端の一部に当接する大きさで形成されるとともに、記録シートの全幅内において１つのみ設けられている。【選択図】図２
2010052906.tif 000002
【特許請求の範囲】
【請求項１】
記録シートを搬送する搬送体と、
前記搬送体から排出される前記記録シートの先端と当接して、前記記録シートの進行方向を変更させる第１ガイドと、を備えた記録シート搬送装置であって、
前記第１ガイドの前記記録シートとの当接面が、前記記録シートの先端の一部に当接する大きさで形成されるとともに、前記記録シートの全幅内において１つのみ設けられていることを特徴とする記録シート搬送装置。
【請求項２】
前記記録シートの搬送方向下流側に向かうにつれて前記第１ガイドの当接面よりも退いた位置から前記当接面に近付くように傾斜する傾斜面を有する補助ガイドを、前記第１ガイドの記録シート幅方向に設けたことを特徴とする請求項１に記載の記録シート搬送装置。
【請求項３】
前記補助ガイドには、前記傾斜面から前記搬送方向下流側に向けて延出して前記当接面の前記記録シートの先端に当接する位置よりも前記搬送方向下流側に位置する延出面が設けられ、
前記延出面は、前記第１ガイドの当接面と平行で、かつ、前記当接面と面一または前記当接面よりも退いた位置に配置されていることを特徴とする請求項２に記載の記録シート搬送装置。
【請求項４】
前記搬送体が前記記録シートを斜め上方に送り、前記第１ガイドが前記記録シートの進行方向を水平方向に変更するように構成され、
前記第１ガイドを通過した記録シートの先端に当接して、当該記録シートの進行方向を斜め下方に変更させる第２ガイドと、
前記第２ガイドで前記記録シートが案内されている際に、前記搬送体から外れて重力により下がる記録シートの後側部分を下から支持する支持部材とをさらに備え、
前記補助ガイドの傾斜面が、前記支持部材と前記記録シートとの接点と、前記第２ガイドと前記記録シートとの接点とを結ぶ直線と平行であることを特徴とする請求項２または請求項３に記載の記録シート搬送装置。
【請求項５】
前記記録シートの先端で押圧されることで揺動して、記録シートの通過を検知するセンサが、前記当接面の幅内であって、かつ、前記当接面の搬送方向下流側に隣接して設けられていることを特徴とする請求項２〜請求項４のいずれか１項に記載の記録シート搬送装置。
【請求項６】
前記搬送体は、
前記記録シートの先端の位置を揃えるためのレジストローラと、
前記レジストローラとの間で前記記録シートを挟持するピンチローラとで構成されていることを特徴とする請求項１〜請求項５のいずれか１項に記載の記録シート搬送装置。
【発明の詳細な説明】
【技術分野】
【０００１】
本発明は、記録シートを搬送する記録シート搬送装置に関する。
【背景技術】
【０００２】
従来、記録シート搬送装置として、記録シートを挟持して搬送する一対の搬送ローラと、搬送ローラから排出される記録シートの進行方向を変更させるガイドとを備えたものが知られている（特許文献１参照）。具体的に、この技術では、搬送ローラから排出される記録シートの先端全体がガイドに当接することで、記録シートの進行方向が変えられるようになっている。
【０００３】
【特許文献１】特開平１０−２３２５６７号公報
【発明の開示】
【発明が解決しようとする課題】
【０００４】
しかしながら、従来技術では、記録シートの先端全体がガイドに当接するため、用紙の先端全体がガイドに擦れて騒音が発生することがあった。
【０００５】
そこで、本発明は、記録シートの先端とガイドとの当接により発生する騒音を抑えることができる記録シート搬送装置を提供することを目的とする。
【課題を解決するための手段】
【０００６】
前記課題を解決する本発明は、記録シートを搬送する搬送体と、前記搬送体から排出される前記記録シートの先端と当接して、前記記録シートの進行方向を変更させる第１ガイドと、を備えた記録シート搬送装置であって、前記第１ガイドの前記記録シートとの当接面が、前記記録シートの先端の一部に当接する大きさで形成されるとともに、前記記録シートの全幅内において１つのみ設けられていることを特徴とする。
【０００７】
本発明によれば、搬送体から排出された記録シートは、その先端の一部だけが第１ガイドの当接面に当接する。そのため、記録シートの先端の一部のみが第１ガイドの当接面と擦れ、その他の部分が擦れないので、記録シートの先端と第１ガイドとの当接により発生する騒音を抑えることができる。
【０００８】
また、本発明では、前記記録シートの搬送方向下流側に向かうにつれて前記第１ガイドの当接面よりも退いた位置から前記当接面に近付くように傾斜する傾斜面を有する補助ガイドを、前記第１ガイドの記録シート幅方向に設けてもよい。
【０００９】
これによれば、傾斜面を有する補助ガイドを、第１ガイドの記録シート幅方向に設けたので、記録シートの幅方向の一部がカールした場合であっても、傾斜面によってカールした一部をカールしていない部分（当接面と当接した部分）と略同じ高さまで持ち上げて、その後の記録シートの搬送を良好に行うことができる。
【００１０】
また、本発明では、前記補助ガイドに、前記傾斜面から前記搬送方向下流側に向けて延出して前記当接面の前記記録シートの先端に当接する位置よりも前記搬送方向下流側に位置する延出面を設け、この延出面を、前記第１ガイドの当接面と平行で、かつ、前記当接面と面一または前記当接面よりも退いた位置に配置してもよい。
【００１１】
これによれば、傾斜面から搬送方向下流側に向けて延出する延出面を、第１ガイドの当接面と平行で、かつ、当接面と略面一（すなわち面一または僅かに退いた位置）に配置するので、記録シートのカール部分を傾斜面で持ち上げた後、記録シートの先端の姿勢を略水平に保って、次の部材に向けて搬送することができる。
【００１２】
また、本発明では、前記搬送体が前記記録シートを斜め上方に送り、前記第１ガイドが前記記録シートの進行方向を水平方向に変更するように構成され、前記第１ガイドを通過した記録シートの先端に当接して、当該記録シートの進行方向を斜め下方に変更させる第２ガイドと、前記第２ガイドで前記記録シートが案内されている際に、前記搬送体から外れて重力により下がる記録シートの後側部分を下から支持する支持部材とをさらに備え、前記補助ガイドの傾斜面が、前記支持部材と前記記録シートとの接点と、前記第２ガイドと前記記録シートとの接点とを結ぶ直線と平行に構成されていてもよい。
【００１３】
これによれば、傾斜面が、支持部材と記録シートとの接点と、第２ガイドと記録シートとの接点とを結ぶ直線と平行に構成されているので、記録シートの後端部が跳ね上がっても後端部が傾斜面に当接しにくく、かつ、記録シートがカールしている場合にカールした部分をカールしていない部分と略同じ高さまで良好に持ち上げることができる。
【００１４】
また、本発明では、前記記録シートの先端で押圧されることで揺動して、記録シートの通過を検知するセンサを、前記当接面の幅内であって、かつ、前記当接面の搬送方向下流側に隣接して設けてもよい。
【００１５】
これによれば、センサが当接面の幅内であって、かつ、当接面の搬送方向下流側に隣接して設けられているので、当接面に沿って移動する記録シートの先端によって、センサの同じ箇所を押圧することができ、各記録シートに対するセンサの動作タイミングを同一にすることができる。そのため、センサで記録シートの通過を検知してから所定時間後に行う印字を、各記録シートに対して同じ位置に行うことができ、画像品質を向上させることができる。
【００１６】
また、本発明では、前記搬送体が、前記記録シートの先端の位置を揃えるためのレジストローラと、前記レジストローラとの間で前記記録シートを挟持するピンチローラとで構成されていてもよい。
【００１７】
これによれば、正確な制御を実行するために、レジストローラの直ぐ近くに当接面（ガイド）を設ける必要があるレジストローラの構造に本発明を適用したので、記録シートの先端と当接面との当接による騒音を抑える他、記録シートの後端が跳ね上がって直近の当接面に当たる際の騒音をも抑えることができる。
【発明の効果】
【００１８】
本発明によれば、記録シートの先端の一部だけが第１ガイドの当接面に当接するので、記録シートの先端と第１ガイドとの当接により発生する騒音を抑えることができる。
【発明を実施するための最良の形態】
【００１９】
次に、本発明の実施形態について、適宜図面を参照しながら詳細に説明する。参照する図面において、図１は、電子写真方式のカラープリンタの全体構成を示す断面図である。なお、以下の説明においては、まず、カラープリンタの全体構成を説明した後、本発明の特徴部分の詳細を説明することとする。
【００２０】
以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００２１】
図１に示すように、カラープリンタ１は、本体筐体１０内に、記録シートの一例としての用紙Ｐを供給する給紙部２０と、給紙された用紙Ｐに画像を形成する画像形成部３０と、画像が形成された用紙Ｐを排出する排紙部９０とを備えている。
【００２２】
給紙部２０は、用紙Ｐを収容する給紙トレイ２１と、給紙トレイ２１から用紙Ｐを画像形成部３０へ搬送する記録シート搬送装置の一例としての用紙搬送装置２２を主に備えている。用紙搬送装置２２は、分離ローラや紙粉取りローラ等を備える公知の用紙供給機構２３と、用紙Ｐを搬送する搬送体の一例としてのレジストローラ２４およびピンチローラ２５と、用紙Ｐを後述する搬送ベルト７３上に案内するガイドユニット１００とを備えている。
【００２３】
レジストローラ２４は、図示せぬ制御装置によりその回転が一時的に止められるようになっており、回転が止められた状態において用紙Ｐが搬送方向に対して斜めに進んできた場合に用紙Ｐの先端の幅方向全体の位置を正規の位置に揃えている。言い換えると、レジストローラ２４は、用紙Ｐの先端の向きを正規の向き（搬送方向）に合わせている。ピンチローラ２５は、レジストローラ２４との間で用紙Ｐを挟持するローラであり、レジストローラ２４の前斜め上方に配置されている。そして、図示せぬモータからの駆動力が図示せぬギヤ等を介してレジストローラ２４およびピンチローラ２５に伝達されると、これらの２つのローラ２４，２５間で用紙Ｐが搬送されるようになっている。この際、前述したようにレジストローラ２４に対してピンチローラ２５が前斜め上方に配置されることから、レジストローラ２４（詳しくは、レジストローラ２４とピンチローラ２５との間）から排出される用紙Ｐは、後斜め上方に進むようになっている。なお、ガイドユニット１００の詳細については、後述することとする。
【００２４】
このように構成される給紙部２０では、給紙トレイ２１内の用紙Ｐが、用紙供給機構２３で一枚ずつ分離されて上方のレジストローラ２４に送られる。レジストローラ２４は、用紙Ｐの先端を揃えた後、用紙Ｐを後斜め上方に送る。そして、この後斜め上方に送られてくる用紙Ｐは、その進行方向がガイドユニット１００によって後斜め下方に変えられて搬送ベルト７３上に案内される。
【００２５】
画像形成部３０は、４つのＬＥＤユニット４０と、４つのプロセスカートリッジ５０と、転写ユニット７０と、定着ユニット８０とから主に構成されている。
【００２６】
ＬＥＤユニット４０は、複数のＬＥＤを有しており、後述する感光ドラム５３を露光している。
【００２７】
プロセスカートリッジ５０は、前後方向に並んで配置され、感光ドラム５３や、図示せぬ帯電器や、符号を省略して示す公知の現像ローラ、トナー収容室などを備えて構成されている。
【００２８】
転写ユニット７０は、給紙部２０と各プロセスカートリッジ５０との間に設けられ、駆動ローラ７１、従動ローラ７２、搬送ベルト７３および転写ローラ７４を主に備えている。
【００２９】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００３０】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００３１】
このように構成される画像形成部３０では、まず、各感光ドラム５３の表面が、帯電器により一様に帯電された後、各ＬＥＤユニット４０で露光される。これにより、露光された部分の電位が下がって、各感光ドラム５３上に画像データに基づく静電潜像が形成される。その後、静電潜像に現像ローラよりトナーが供給されることで、感光ドラム５３上にトナー像が担持される。
【００３２】
次に、搬送ベルト７３上に供給された用紙Ｐが各感光ドラム５３と各転写ローラ７４との間を通過することで、各感光ドラム５３上に形成されたトナー像が用紙Ｐ上に転写される。そして、用紙Ｐが加熱ローラ８１と加圧ローラ８２との間を通過することで、用紙Ｐ上に転写されたトナー像が熱定着される。
【００３３】
排紙部９０は、用紙Ｐを搬送する複数の搬送ローラ９１を主に備えている。トナー像が転写され、熱定着された用紙Ｐは、搬送ローラ９１によって搬送され、本体筐体１０の外部に排出される。
【００３４】
＜ガイドユニットの詳細構造＞
次に、本発明の特徴部分であるガイドユニット１００の詳細構造について説明する。参照する図面において、図２はガイドユニットを下から見上げて示す斜視図であり、図３は用紙の先端が当接面に当接したときの図２のＸ−Ｘ断面図である。図４は用紙の先端がセンサに当接したときの図２のＸ−Ｘ断面図であり、図５は用紙の先端が当接面に当接したときの図２のＹ−Ｙ断面図である。図６は用紙の先端が下流側ガイドに当接したときの図２のＸ−Ｘ断面図であり、図７は用紙の後端部がレジストローラから外れたときの図２のＸ−Ｘ断面図であり、図８は用紙の後端部がレジストローラから外れたときの図２のＹ−Ｙ断面図である。
【００３５】
図１に示すように、ガイドユニット１００は、上流側ガイド１１０と、第２ガイドの一例としての下流側ガイド１２０と、支持部材１３０と、ベルト前ガイド１４０とを備えて構成されている。
【００３６】
上流側ガイド１１０は、ピンチローラ２５の後斜め上方に配置されており、レジストローラ２４から後斜め上方に排出される用紙Ｐを後方（水平方向）に方向転換させている。具体的には、図２に示すように、上流側ガイド１１０は、左右方向（用紙Ｐの幅方向）の中央部に形成される第１ガイド部１１１と、第１ガイド部１１１の左右両側に形成される補助ガイド部１１２とを備えている。ここで、第１ガイド部１１１と２つの補助ガイド部１１２は、これらの左右方向の幅を足し合わせた長さが、本カラープリンタ１で印字可能な複数種類の用紙Ｐのうち最大の用紙Ｐの幅よりも長くなるように形成されている。
【００３７】
第１ガイド部１１１は、補助ガイド部１１２よりも下方に突出しており、その下端面がレジストローラ２４から排出される用紙Ｐの先端の中央部（一部）と当接する当接面１１３となっている。具体的に、当接面１１３は、その幅（搬送方向に直交する方向の長さ）が用紙Ｐの先端の中央部に当接する大きさで形成されるとともに、用紙Ｐの全幅内において１つのみ設けられている。
【００３８】
ここで、当接面１１３の幅は、大きすぎると用紙Ｐの先端との当接による騒音が大きくなり、小さすぎると用紙Ｐの先端で当接面１１３が削られてしまうので、適宜実験やシミュレーション等を行うことで決めることができる。具体的に、当接面１１３の幅は、本カラープリンタ１で印字可能な複数種類の用紙Ｐのうち最小の用紙Ｐの幅の１／３〜１／４の範囲（本実施形態では、はがきの幅の１／３〜１／４の範囲）で決定するのが望ましい。
【００３９】
そして、この当接面１１３は、図３に示すように、上流側ガイド１１０が本体筐体１０に取り付けられた状態において、水平となるように配置されている。そのため、この当接面１１３に当接した用紙Ｐの進行方向が、後斜め上方から後方（水平）に向けて変更される。
【００４０】
また、図２に示すように、当接面１１３の後端の中央部には、前方へ向けて凹む凹部１１５が形成されている。この凹部１１５内には、用紙Ｐの通過を検知するアーム状のセンサ２００が当接面１１３から下方に突出するように配設されている。具体的に、センサ２００は、図３に示すように、当接面１１３よりも上方に配置される上部を中心にして下部が揺動可能となっている。
【００４１】
そして、センサ２００は、図２に示すように、凹部１１５内に配置されることによって、当接面１１３の幅内であって、かつ、当接面１１３の搬送方向下流側に隣接（近接）して設けられている。より具体的には、凹部１１５内にセンサ２００が配置されているので、センサ２００の幅方向両側には、当接面１１３が配置されている。これにより、図４に示すように、当接面１１３に沿って（面接触して）移動する用紙Ｐの先端によって、センサ２００の同じ箇所（上下方向における同じ位置）を押圧して、センサ２００が倒れるタイミングを各用紙Ｐで同一にすることが可能となっている。ちなみに、センサ２００を当接面１１３の幅よりも左右外側に配置した場合には、用紙Ｐごとに左右両端部のカール量が微妙に異なることから、センサ２００を押す位置が用紙Ｐごとに異なり、センサ２００が倒れるタイミングを各用紙Ｐで同一にすることは難しい。
【００４２】
また、センサ２００は、凹部１１５内に配置されることによって、当接面１１３の前後長さの範囲内に位置する。これにより、用紙Ｐの先端は、凹部１１５の両側の当接面１１３に案内されながら搬送されるので、常に安定してセンサ２００を押圧することができる。
【００４３】
補助ガイド部１１２は、傾斜面１１６と、延出面１１７とを有している。
傾斜面１１６は、用紙Ｐの搬送方向下流側に向かうにつれて第１ガイド部１１１の当接面１１３よりも退いた位置Ｐ１から当接面１１３に近付くように傾斜している。つまり、本実施形態では、図５に示すように、傾斜面１１６は、当接面１１３よりも上方に退いた位置Ｐ１から用紙Ｐの搬送方向下流側に向かうにつれて下に下がるように傾斜している。
【００４４】
延出面１１７は、傾斜面１１６の後端から搬送方向下流側に向けて延出しており、当接面１１３のうち用紙Ｐの先端に当接する位置Ｐ２よりも搬送方向下流側に位置している。さらに、延出面１１７は、当接面１１３と平行であり、かつ、当接面１１３よりも僅かに（２〜３ｍｍ程度）退いた位置に形成されている。
【００４５】
図６に示すように、下流側ガイド１２０は、上流側ガイド１１０の後方に配置されており、上流側ガイド１１０によって後方に向けて略水平な姿勢で案内されてくる用紙Ｐの先端側部分を後斜め下方に方向転換させている。具体的に、下流側ガイド１２０は、後斜め下方に傾く案内面１２１と、案内面１２１の下流側端部に回転可能に配設されるガイドローラ１２２とを有している。ガイドローラ１２２は、後述するベルト前ガイド１４０の下流側端部との間で用紙Ｐを挟持して搬送ベルト７３に向けて搬送する。
【００４６】
図７に示すように、支持部材１３０は、その上面が略円筒面状に形成されており、下流側ガイド１２０で用紙Ｐが案内されている際に、レジストローラ２４から外れて重力により下がる用紙Ｐの後側部分を下から支持する位置に配置されている。そして、図８に示すように、前述した補助ガイド部１１２の傾斜面１１６は、支持部材１３０と用紙Ｐとの接点Ｐ３と、下流側ガイド１２０と用紙Ｐとの接点Ｐ４とを結ぶ直線（図に示す用紙Ｐに沿う直線）と平行に形成されている。
【００４７】
ベルト前ガイド１４０は、その上面が後斜め下方に傾斜するように形成されており、支持部材１３０から外れた用紙Ｐの後側部分を下から支持する位置に配置されている。
【００４８】
次に、ガイドユニット１００の作用について説明する。
図１に示すように、給紙トレイ２１内の用紙Ｐが、用紙供給機構２３で一枚ずつ分離されて上方のレジストローラ２４に送られると、このレジストローラ２４で用紙Ｐの先端が揃えられる。用紙Ｐの先端が揃えられた後、レジストローラ２４によって用紙Ｐが後斜め上方に送られると、図５に示すように、用紙Ｐの先端の中央部のみが当接面１１３に当接し、その他の部分は、傾斜面１１６や延出面１１７には当接しないようになっている。
【００４９】
これにより、用紙Ｐの先端の中央部のみが当接面１１３に摺接して、騒音が極力抑えられる。すなわち、用紙Ｐの先端全体がガイドに当たる場合には用紙Ｐの幅全体が振動して騒音が大きくなるが、本実施形態では、用紙Ｐの先端の中央部のみが当接面１１３に当接することで中央部付近のみが振動するので騒音が小さくなる。
【００５０】
ここで、用紙Ｐの先端の左右両端部が上方に僅かにカールしている場合であっても、当接面１１３から傾斜面１１６が退いて形成されていることから、左右両端部と傾斜面１１６との当接を抑えることができるので、その部分での騒音を抑えることが可能となっている。そして、このように用紙Ｐの左右両端部が僅かにカールした場合には、用紙Ｐの先端の中央部が当接面１１３に当接した時点では、用紙Ｐの左右両端部が傾斜面１１６には当接しないが、用紙Ｐの先端が当接面１１３に沿って後方に進むにつれて、用紙Ｐの先端の左右両端部が傾斜面１１６に当接する。これにより、この傾斜面１１６にてカールした用紙Ｐの先端の左右両端部が下方に押し下げられて、用紙Ｐの先端が略水平な状態となる。
【００５１】
そして、このように略水平となった用紙Ｐの先端は、僅かな段差で互いに平行となる当接面１１３および延出面１１７（図２参照）によって略水平な姿勢に保たれる。その後、図４に示すように、略水平な姿勢となる用紙Ｐの先端（詳しくは、当接面１１３に密着して案内される用紙Ｐの先端の中央部）によってセンサ２００が後方に押圧され、図６に示すように、センサ２００が揺動する。これにより、用紙Ｐの通過が検知される。
【００５２】
その後は、当接面１１３および延出面１１７によって案内される用紙Ｐは、下流側ガイド１２０に当接して、後斜め下方に進む。そして、図８に示すように、用紙Ｐの後端部がレジストローラ２４から外れると、用紙Ｐの後端部が上方に跳ね上がることになるが、当接面１１３から傾斜面１１６が退いて形成されていることから、跳ね上がった用紙Ｐの後端部は当接面１１３のみに当接することとなる。これにより、用紙Ｐの後端部の一部のみが当接面１１３と接触し、その他の部分が接触しないので、騒音が抑制される。
【００５３】
以上によれば、本実施形態において以下のような効果を得ることができる。
用紙Ｐの先端の中央部だけが当接面１１３に当接するので、用紙Ｐの先端とガイドとの当接により発生する騒音を抑えることができる。
【００５４】
傾斜面１１６を当接面１１３の左右両側に設けたので、用紙Ｐの左右両端部がカールした場合であっても、カールした左右両端部を中央部と略同じ高さまで押し下げて、その後の用紙Ｐの搬送を良好に行うことができる。
【００５５】
傾斜面１１６の後端に当接面１１３と平行となる延出面１１７を設けたので、僅かな段差で互いに平行となる当接面１１３および延出面１１７によって用紙Ｐの先端の姿勢を略水平に保って、下流側ガイド１２０に向けて用紙Ｐを良好に搬送することができる。
【００５６】
傾斜面１１６が、支持部材１３０と用紙Ｐとの接点Ｐ３と、下流側ガイド１２０と用紙Ｐとの接点Ｐ４とを結ぶ直線と平行に形成されているので、用紙Ｐの後端部が跳ね上がっても後端部が傾斜面１１６に当接しにくく、かつ、用紙Ｐがカールしている場合にカールした左右両端部を中央部と略同じ高さまで良好に押し下げることができる。
【００５７】
センサ２００が当接面１１３の幅内であって、かつ、当接面１１３の搬送方向下流側に隣接して設けられているので、当接面１１３に沿って移動する用紙Ｐの先端によって、センサ２００の同じ箇所を押圧することができ、各用紙Ｐに対するセンサ２００の動作タイミングを同一にすることができる。そのため、センサ２００で用紙Ｐの通過を検知してから所定時間後に行う最上流側の感光ドラム５３での印字を、各用紙Ｐに対して同じ位置に行うことができ、画像品質を向上させることができる。
【００５８】
なお、本発明は前記実施形態に限定されることなく、以下に例示するように様々な形態で利用できる。
前記実施形態では、搬送体としてレジストローラ２４およびピンチローラ２５を採用したが、本発明はこれに限定されず、例えば、搬送ベルト７３や排紙部９０の搬送ローラ９１などを採用してもよい。ただし、レジストローラ付近の構造では、正確な制御を実行するためにレジストローラで揃えられた用紙の先端をすぐにセンサで検知する必要があるため、レジストローラの直ぐ近くにセンサや当接面（ガイド）を設ける必要がある。この場合、レジストローラから外れた用紙の後端が跳ね上がると直近の当接面に当たって騒音が発生するが、本発明をレジストローラ付近の構造に適用することで後端跳ねによる騒音を抑えることができる。
【００５９】
前記実施形態では、第１ガイド（第１ガイド部１１１）と補助ガイド（補助ガイド部１１２）を一体に形成したが、本発明はこれに限定されず、別体に構成してもよい。
前記実施形態では、延出面１１７を当接面１１３よりも僅かに退いた位置に形成したが、本発明はこれに限定されず、延出面を当接面と面一に形成してもよい。
前記実施形態では、第１ガイド部１１１の左右両側に補助ガイド部１１２を設けたが、本発明はこれに限定されず、第１ガイドの片側のみに補助ガイドを設けてもよい。
【００６０】
前記実施形態では、カラープリンタ１に本発明を適用したが、本発明はこれに限定されず、その他の画像形成装置、例えば複写機や複合機などに本発明を適用してもよい。
前記実施形態では、記録シートの一例として、厚紙、はがき、薄紙などの用紙Ｐを採用したが、本発明はこれに限定されず、例えばＯＨＰシートであってもよい。
【図面の簡単な説明】
【００６１】
【図１】画像形成装置の一例としての電子写真方式のカラープリンタの全体構成を示す断面図である。
【図２】ガイドユニットを下から見上げて示す斜視図である。
【図３】用紙の先端が当接面に当接したときの図２のＸ−Ｘ断面図である。
【図４】用紙の先端がセンサに当接したときの図２のＸ−Ｘ断面図である。
【図５】用紙の先端が当接面に当接したときの図２のＹ−Ｙ断面図である。
【図６】用紙の先端が下流側ガイドに当接したときの図２のＸ−Ｘ断面図である。
【図７】用紙の後端部がレジストローラから外れたときの図２のＸ−Ｘ断面図である。
【図８】用紙の後端部がレジストローラから外れたときの図２のＹ−Ｙ断面図である。
【符号の説明】
【００６２】
２２    用紙搬送装置
２３    用紙供給機構
２４    レジストローラ
２５    ピンチローラ
１００  ガイドユニット
１１０  上流側ガイド
１１１  第１ガイド部
１１２  補助ガイド部
１１３  当接面
１１６  傾斜面
１１７  延出面
１２０  下流側ガイド
１３０  支持部材
１４０  ベルト前ガイド
２００  センサ
Ｐ      用紙
【図１】
2010052906.tif 000003
【図２】
2010052906.tif 000004
【図３】
2010052906.tif 000005
【図４】
2010052906.tif 000006
【図５】
2010052906.tif 000007
【図６】
2010052906.tif 000008
【図７】
2010052906.tif 000009
【図８】
2010052906.tif 000010